(57)【要約】      （修正有）【課題】人の手の届かない場所あるいは危険で近づけない場所の放射線量等を簡単かつ安全に計測できる携帯式放射線量計測装置を提供する。【解決手段】伸縮自在に構成されたポール１の先端側に線量計２とこの線量計２に表示された線量を直接撮影するためのカメラを着脱自在に取り付けると共にこのカメラでの撮影方向を照明するための照明用ライトを着脱自在に取り付け、前記カメラで撮影した線量計２の映像信号を手元で受信して作像し、この映像を映し出すための映像出力手段１３を設けることにより、手の届かない場所及び危険な場所等の線量を簡単かつ安全に計測することができる。【選択図】図１
0003183176.tif 000002
【実用新案登録請求の範囲】
【請求項１】
伸縮自在に構成されたポールの先端に線量計とこの線量計に表示された放射線量を直接撮影するためのカメラを着脱自在に取り付けると共にこのカメラでの撮影方向を照明するための照明用ライトを着脱自在に取り付けてなる線量計測手段と、
前記カメラで撮影した線量計の数値を映し出すための映像出力手段と、
から成る携帯式放射線量計測装置。
【請求項２】
前記カメラで撮影した映像信号を無線又は信号線を経由して前記映像出力手段に送信するように構成して成る請求項１又は２に記載の携帯式放射線量計測装置。
【請求項３】
前記カメラには使い捨て方式の防水カバー又は防水ケースが着脱自在に取り付けられていることを特徴とする請求項１に記載の携帯式放射線量計測装置。
【請求項４】
前記線量計及びカメラ並びにライトは、前記ポールの先端においてその向きが調整自在に取り付けられていることを特徴とする請求項１に記載の携帯式放射線量計測装置。
【請求項５】
前記ポールは、前記線量計及びカメラ及び照明用ライトの向きを変更するためにその先端側が曲折自在に構成されていることを特徴とする請求項１に記載の携帯式放射線量計測装置。
【請求項６】
前記映像出力手段には、タブレット型端末が用いられていることを特徴とする請求項１に記載の携帯式放射線量計測装置。
【請求項７】
前記照明用ライトにはLEDが用いられていることを特徴とする請求項１に記載の携帯式放射線量計測装置。
【請求項８】
前記カメラで撮影した映像を記録するための映像記録手段を設けて成ることを特徴とする請求項１に記載の携帯式放射線量計測装置。
【請求項９】
前記線量計は結束バンドにより前記ポールの先端に取り付けたアングルに対して着脱自在に取り付けられていることを特徴とする請求項１に記載の携帯式放射線量計測装置。
【考案の詳細な説明】
【技術分野】
【０００１】
本発明は、手の届かない場所あるいは危険な場所の放射線量等を梯子や高所作業車又は足場を組み立てたりすることなく、素早く、確実安全に計測したり、雨樋内等の木の葉の詰り具合やその他の高い樹木の上や屋根のゴミ等をカメラで撮影しながらその場で状況を把握したり、映像として記録したりすることができる携帯式放射線量計測装置に関する。
【背景技術】
【０００２】
現在の放射線量の簡易な計測手段は、計測員がその場所を特定して手に持った線量計をかざして計測する方式であることから、手の届く場所での計測が原則である。このため、建物の屋根とか雨樋等の場合には、高所作業車とか梯子を使って計測することが必要となり、計測に時間と手数がかかり、また危険をともなう。
【０００３】
また、樹木の枝や側溝内あるいは山肌に積った落葉あるいはトンネル、あるいは井戸や用水溝等であって、手の届かない場所の線量測定は、手の届く周囲の計測値から推定するしか方法がないというのが現状である。
【０００４】
現在の公知の携帯式放射線量計側装置として、特開平０７−０３５８６４号公報に掲載された内容のものがある。
【０００５】
この内容は、作業者がポケット線量計を装着したままで、作業情報入力手段との情報の送受信を可能にするために、送信要求信号を発信中の作業情報入力手段のアンテナに警報付きポケット線量計を接近すると、線量計からの応答通信を受信し相互通信を開始し、作業情報入力手段は、バーコードリーダにより読み取られた作業情報などのデータをポケット線量計との間で送受信するものである。
【０００６】
この内容によると、作業者はポケット線量計を作業服に装着したまま作業情報を入力することができ、さらに、放射線で汚染した手を作業服内に入れなくてよいので、作業服の汚染による被ばくの危険性を防ぐことができるという効果がある。
【０００７】
しかし、この公知例は、前記した手の届かない場所の計測には使用できない。
【０００８】
また、特開平０９−２３００５０号公報には、作業者の作業姿勢に拘らず、線量計を放射線の入射方向に対して垂直に保持することができ、正確な測定を行うことができる線量計ホルダとして、線量計が収納されるカプセルホルダの後部の上端部に、回転軸が固定され、また、作業者の被服等に線量計を装着するためのクリップがこの回転軸に回動自在に取り付けられた内容のものが掲載されている。
【０００９】
しかし、この公知例は、線量計を携帯する方式であって、手の届かない場所の計測には使用できないと共に上記した公知の線量計は、計測ポイントを目視で確認したり、状況の把握が困難であるばかりでなく、記録として残すことができないという不便さがある。
【先行技術文献】
【特許文献】
【００１０】
【特許文献１】特開平０７−０３６８５４号公報
【特許文献２】特開平０９−２３００５０号公報
【考案の概要】
【考案が解決しようとする課題】
【００１１】
本考案は、手の届かない場所とか危険な場所、例えば樹木の高い場所あるいは屋根の雨樋内等の放射線量を地上で簡単かつ安全に計測したり、計測ポイントの状況の把握を目視することできると共にデータを記録したりすることが可能な携帯式放射線量計側装置を提供するのが目的である。
【課題を解決するための手段】
【００１２】
上記目的を達成するため、請求項１に記載の考案は、携帯式放射線量計測装置において、伸縮自在に構成されたポールの先端に線量計とこの線量計に表示された放射線量を直接撮影するためのカメラを着脱自在に取り付けると共にこのカメラでの撮影方向を照明するための照明用ライトを着脱自在に取り付けてなる線量計測手段と、前記カメラで撮影した線量計の数値を映し出すための映像出力手段と、から成ることを特徴とするものである。
【００１３】
この考案によると、ポールを伸長させたり曲折することで線量計を手の届かない目的の位置まで到達させ、その位置で線量計の線量を示す数値を直接カメラで撮影しながら手元の映像出力手段で目視により放射線量を読み取ることができる。
【００１４】
また、高所作業車や梯子等をいちいち用いることなく線量の計測や計測ポイントの状況を目視で観察する事ができるため、作業の安全性を確保することができる。
【００１５】
また、カメラは、計測ポイントを特定することができると共に照明用ライトは計測ポイントが暗い場所での撮影に支障がないように照明し、鮮明な画像を出力することができる。
【００１６】
次に、請求項２に記載の考案は、請求項１に記載の携帯式放射線量計側装置において、前記カメラで撮影した映像信号を無線又は信号線を経由して前記映像出力手段に送信するように構成して成ることを特徴とするものである。
【００１７】
次に、請求項３に記載の考案は、請求項１に記載の携帯式放射線量計側装置において、前記カメラには使い捨て方式の防水カバー又は防水ケースが着脱自在に取り付けられていることを特徴とするものである。
【００１８】
この考案によると、カメラが降雨等で濡れてトラブルが発生するのを防止できる。
【００１９】
次に、請求項４に記載の考案は、請求項１に記載の携帯式放射線量計側装置において、前記線量計及びカメラ並びに照明用ライトは、前記ポールの先端においてその向きが調整自在に取り付けられていることを特徴とするものである。
【００２０】
この考案によると、計測ポイントの状況に応じて、線量計及びカメラ及び照明用ライトの向きを適切に調節できる。
【００２１】
次に、請求項５に記載の考案は、請求項１に記載の携帯式放射線量計側装置において、前記ポールは、前記線量計及びカメラ及び照明用ライトの向きを変更するためにその先端側が曲折自在に構成されていることを特徴とするものである。
【００２２】
この考案によると、計測ポイントの地形などに応じて、線量計やカメラ及びライトの位置、向きを適切に調節できる。
【００２３】
次に、請求項６に記載の考案は、請求項１に記載の携帯式放射線量計側装置において、前記映像出力手段には、タブレット型端末が用いられていることを特徴とするものである。
【００２４】
この考案によると、通常のカメラ以外にカメラ機能付の携帯電話あるいはスマートフォン等を利用して計測が可能であることから、個人使用の機器の組み合わせにより計測が可能になる。
【００２５】
次に、請求項７に記載の考案は、請求項１に記載の携帯式放射線量計側装置において、前記照明用ライトにはLEDが用いられていることを特徴とするものである。
【００２６】
この考案によると、軽量化と省電力化が可能になると共に照明用ライトの長寿命化が可能になる。
【００２７】
次に、請求項８に記載の考案は、請求項１に記載の携帯式放射線量計側装置において、前記カメラで撮影した映像を記録するための映像記録手段を設けて成ることを特徴とするものである。
【００２８】
この考案によると、あとでデータの解析等を行ったり、データを第三者へ送信したりすることができる。
【００２９】
次に、請求項９に記載の考案は、請求項１に記載の携帯式放射線量計側装置において、前記線量計は結束バンドにより前記ポールの先端に取り付けたアングルに対して着脱自在に取り付けられていることを特徴とするものである。
【００３０】
この考案によると、ポールに対する着脱が簡便になる。
【考案の効果】
【００３１】
本考案は、手の届かない計測ポイントでの放射線量を簡単かつ安全に計測することができるので、除染の必要性の判断を的確に行うために有用であると共に個人でも簡単に線量の計測を行うことができる効果がある。
また、計測ポイントの映像を目視で直接観察したり、記録として残すことができる効果がある。
【図面の簡単な説明】
【００３２】
【図１】本考案にかかる計測装置の全体像を示す説明図
【図２】タブレット型端末を用いた映像出力手段の説明図
【図３】線量計側の説明図
【図４】線量計側装置を防水ケース内に収容した状態の説明図
【図５】防水ケース内と線量計等の説明図
【図６】建物の雨樋内の線量を計測している状態の説明図
【図７】道路脇の土手の線量を計測している状態の説明図
【考案を実施するための形態】
【００３３】
本考案は、屋外において、人の手が届かない場所あるいは危険で計測ポイントに入れない場所等において、放射線量を簡単に計測するための装置であって、携帯式である点に特徴がある。
【実施例１】
【００３４】
図１乃至図７基づいて本考案の計測装置の詳細と計測方法の一例を以下に説明する。
【００３５】
図１は計測装置全体を示し、符号の１は先端に線量計側手段としての線量計２及びこの線量計２で計測された線量を表示する窓３を直接撮影するカメラ４及び計測ポイントの照明用ライト５を取り付けたポールであって、このポール１の基部には絶縁ラバーグリップ６が取り付けられていると共にポール１は軽量化を目的として中空のアルミ製であるが、特に材質にはこだわらない。また、ポール１は、長さを調節して計測ポイントまで届くように伸縮自在に構成されていると共に携帯時又は不使用時には短く折り畳むことができる。
【００３６】
前記計測手段としての線量計２、カメラ３、照明用ライト４は図３乃至図５に示すようにL型のアングル７に対して着脱自在に取り付けられていると共にこのL型のアングル７はポール１に対して取付金具８により着脱自在及び回転自在（方向設定自在）に取り付けられている。９はアングル７をポール１に取り付けたときに締め付けて固定する締付ネジ、１０は線量計２をアングル７に固定している結束バンドである。但し、この固定手段は、簡便なものならば、結束バンド１０以外のものでも良い。
【００３７】
図中１１は、カメラ３に取り付けられた防水ケースであって、全体は透明な樹脂製で形成され、ファスナー１２で開放自在である。但し、防水ケース１１はカメラ３の前方のみが透明に形成されていれば、その他は不透明又は半透明でも良く、又ファスナー１２以外の手段で密閉できる構成であっても良く、本実施例ではアングル７にカメラ３を取り付けたあとで被せるようにして取り付けているが、この防水ケース１１の取り付け形態は特に問わない。
【００３８】
図１において、１３はラバーグリップ６のところに取り付けられた映像出力手段及び計測制御手段であって、前記カメラ３で撮影された線量計２を映し出すことにより手元で（地上で）観察することができる。また、映像出力手段にデータの記録手段を付加しておくことにより、後でデータを解析したり、通信手段により遠方の第三者へデータを送信したりすることができる。
【００３９】
なお、本実施例において、カメラ３及び映像出力手段１３間は無線で通信し、照明用ライト５と電源（図示せず）間はケーブルで結んでいるが、本考案では特にこれらの手段に限定するものではない。
【００４０】
以上で説明した計測装置は、図６に示すように手の届かない屋根１４の雨樋１５の中とか図７に示すように土手１６内に入り込めないときに道路１７側からポール１を伸長させて簡単かつ安全に計測を行うことができる。
【符号の説明】
【００４１】
１  ポール
２  線量計
３  窓
４  カメラ
５  照明用ライト
６  絶縁ラバーグリップ
７  アングル
８  取付金具
９  締付ネジ
１０  結束バンド
１１  防水ケース
１２  ファスナー
１３  映像出力手段（計測出力手段）
１４  屋根
１５  雨樋
１６  土手
１７  道路
【図１】
0003183176.tif 000003
【図２】
0003183176.tif 000004
【図３】
0003183176.tif 000005
【図４】
0003183176.tif 000006
【図５】
0003183176.tif 000007
【図６】
0003183176.tif 000008
【図７】
0003183176.tif 000009